(57)【特許請求の範囲】
【請求項１】
第１の動画像データ及び第２の動画像データが同時に表示される端末のユーザを識別するためのユーザ識別情報と、前記ユーザが前記第１の動画像データ及び第２の動画像データを評価したことを示す評価情報とを取得する取得部と、
前記取得部が取得した前記評価情報が、前記第１の動画像データに対するユーザによる評価が前記第２の動画像データに対する前記ユーザによる評価よりも高いことを示す場合に、前記第１の動画像データの内容が前記第２の動画像データの内容に比べて前記ユーザの関心が高いということを示す、前記ユーザ識別情報に対応するユーザの属性を示す属性情報を生成する生成部と、
を有する情報処理装置。
【請求項２】
前記ユーザが前記評価を与えた時刻に前記端末に同時に表示されていた前記第１の動画像データ及び第２の動画像データの内容を特定する特定部をさらに有し、
前記生成部は、前記取得部が取得した前記評価情報と前記特定部が特定した前記第１の動画像データ及び第２の動画像データの内容とに基づき、前記属性情報を生成する、
請求項１に記載の情報処理装置。
【請求項３】
前記特定部は、前記第１の動画像データが示す画像である第１画像と、前記第２の動画像データが示す画像である第２画像との画像認識処理を行うことにより、前記第１の動画像データの内容と、前記第２の動画像データの内容とを特定する、
請求項２に記載の情報処理装置。
【請求項４】
前記取得部は、第１の動画像データ及び第２の動画像データが同時に表示されている前記端末のユーザの前記ユーザ識別情報と、前記評価情報とを取得する、
請求項１から３のいずれか一項に記載の情報処理装置。
【請求項５】
前記取得部は、第１の動画像データ及び第２の動画像データのそれぞれを識別するための動画像識別情報に関連付けられた、前記ユーザにより所定の評価が与えられたことを示す前記評価情報を取得し、
前記生成部は、前記取得部が取得した前記評価情報に関連付けられている前記動画像識別情報に基づいて特定される前記第１の動画像データと前記第２の動画像データの内容に基づき前記属性情報を生成する、
請求項１から４のいずれか一項に記載の情報処理装置。
【請求項６】
前記取得部は、前記第１の動画像データ及び第２の動画像データの少なくともいずれかに対応する、第１の動画像データ及び第２の動画像データのそれぞれを識別するための動画像識別情報と関連付けられ、前記ユーザが定めた第１の動画像データ及び第２の動画像データのそれぞれの前記端末における表示領域の大きさを示す情報を、前記評価情報として取得する、
請求項１又は２に記載の情報処理装置。
【請求項７】
前記取得部は、前記動画像識別情報で識別される動画像データが前記端末において相対的に大きい前記表示領域に所定時間以上表示された場合に、当該動画像データが相対的に大きい前記表示領域に所定時間以上表示されたことを示す情報を前記評価情報として取得する、
請求項６に記載の情報処理装置。
【請求項８】
前記生成部は、前記第１の動画像データに対する前記ユーザによる評価が前記第２の動画像データに対する前記ユーザによる評価よりも高いことを前記評価情報が示す場合に、前記第１の動画像データの内容が、前記第２の動画像データの内容に比べて前記ユーザの関心が高いものとして前記属性情報を生成する、
請求項１から７のいずれか一項に記載の情報処理装置。
【請求項９】
前記生成部は、前記ユーザ識別情報と、前記ユーザの個人情報とを関連付けたユーザ情報を参照し、前記ユーザ識別情報に関連付けられている前記個人情報にさらに基づいて前記属性情報を生成する、
請求項１から６のいずれか一項に記載の情報処理装置。
【請求項１０】
前記生成部が生成した前記属性情報に基づいて前記ユーザに特典を付与する特典付与部をさらに有する、
請求項１から７のいずれか一項に記載の情報処理装置。
【請求項１１】
前記取得部は、複数の撮像装置が所定の領域を異なる方向から撮影することにより生成した前記第１の動画像データ及び前記第２の動画像データが表示されている端末のユーザに対応する前記ユーザ識別情報と、前記評価情報とを取得する、
請求項１から１０のいずれか一項に記載の情報処理装置。
【請求項１２】
前記端末の位置を示す端末位置情報を取得する位置情報取得部と、
前記生成部が生成した前記属性情報と、前記端末位置情報とに基づいて前記属性情報が示す属性と、前記属性を有するユーザの位置との関係を分析する分析部と、
をさらに有する、
請求項１から１１のいずれか一項に記載の情報処理装置。
【請求項１３】
コンピュータが実行する、
第１の動画像データ及び第２の動画像データが同時に表示される端末のユーザを識別するためのユーザ識別情報と、前記ユーザが前記第１の動画像データ及び第２の動画像データを評価したことを示す評価情報とを取得するステップと、
取得された前記評価情報が、前記第１の動画像データに対するユーザによる評価が前記第２の動画像データに対する前記ユーザによる評価よりも高いことを示す場合に、前記第１の動画像データの内容が前記第２の動画像データの内容に比べて前記ユーザの関心が高いということを示す、前記ユーザ識別情報に対応するユーザの属性を示す属性情報を生成するステップと、
を有する情報処理方法。
【請求項１４】
コンピュータを、
第１の動画像データ及び第２の動画像データが同時に表示される端末のユーザを識別するためのユーザ識別情報と、前記ユーザが前記第１の動画像データ及び第２の動画像データを評価したことを示す評価情報とを取得する取得部、及び、
前記取得部が取得した前記評価情報が、前記第１の動画像データに対するユーザによる評価が前記第２の動画像データに対する前記ユーザによる評価よりも高いことを示す場合に、前記第１の動画像データの内容が前記第２の動画像データの内容に比べて前記ユーザの関心が高いということを示す、前記ユーザ識別情報に対応するユーザの属性を示す属性情報を生成する生成部、
として機能させるプログラム。
【発明の詳細な説明】
【技術分野】
【０００１】
本発明は、情報処理装置、情報処理方法及びプログラムに関する。
【背景技術】
【０００２】
従来、画像を表示できる端末に、複数のカメラで撮像された複数の動画を配信し、端末に複数の動画を表示する技術が知られている（例えば、特許文献１を参照）。
【先行技術文献】
【特許文献】
【０００３】
【特許文献１】特開平１１−２８９５３１号公報
【発明の概要】
【発明が解決しようとする課題】
【０００４】
動画を視聴しているユーザに適切な情報又は特典等をユーザに提供するために、ユーザの属性を特定することが求められている。
【０００５】
そこで、本発明はこれらの点に鑑みてなされたものであり、ユーザの複数の動画の視聴状況に基づいてユーザの属性を分析できるようにすることを目的とする。
【課題を解決するための手段】
【０００６】
本発明の第１の態様に係る情報処理装置は、第１及び第２の動画像データが同時に表示される端末のユーザを識別するためのユーザ識別情報と、前記ユーザが前記第１及び第２の動画像データの少なくともいずれかを評価したことを示す評価情報とを取得する取得部と、前記取得部が取得した前記評価情報と前記第１及び第２の動画像データの内容とに基づき、前記ユーザ識別情報に対応するユーザの属性を示す属性情報を生成する生成部と、を有する。
【０００７】
本発明の第２の態様に係る情報処理方法は、コンピュータが実行する、第１及び第２の動画像データが同時に表示される端末のユーザを識別するためのユーザ識別情報と、前記ユーザが前記第１及び第２の動画像データの少なくともいずれかを評価したことを示す評価情報とを取得するステップと、取得された前記評価情報と前記第１及び第２の動画像データの内容とに基づき、前記ユーザ識別情報に対応するユーザの属性を示す属性情報を生成するステップと、を有する。
【０００８】
本発明の第３の態様に係るプログラムは、コンピュータを、第１及び第２の動画像データが同時に表示される端末のユーザを識別するためのユーザ識別情報と、前記ユーザが前記第１及び第２の動画像データの少なくともいずれかを評価したことを示す評価情報とを取得する取得部、及び、前記取得部が取得した前記評価情報と前記第１及び第２の動画像データの内容とに基づき、前記ユーザ識別情報に対応するユーザの属性を示す属性情報を生成する生成部、として機能させる。
【発明の効果】
【０００９】
本発明によれば、ユーザの複数の動画の視聴状況に基づいてユーザの属性を分析できるという効果を奏する。
【図面の簡単な説明】
【００１０】
【図１】複数のカメラが競技場に設置されている状態を示す模式図である。
【図２】複数のカメラが作成した複数の動画像データに基づく画像がディスプレイに表示された状態を示す図である。
【図３】画像処理システムのシステム構成図である。
【図４】サーバの構成を示す図である。
【図５】ユーザ端末の構成を示す図である。
【図６】評価履歴情報の一例を示す図である。
【図７】生成部が生成したユーザ属性情報の一例を示す図である。
【図８】画像処理システムの動作シーケンス図である。
【発明を実施するための形態】
【００１１】
［配信システムＳの概要］
図１及び図２は配信システムＳの概要を説明するための図である。配信システムＳは、それぞれ異なるアングルから所定の領域を撮影する複数の撮像装置であるカメラＣ（図１においてはＣ１〜Ｃ５）が出力した複数の動画像データを一つの画面に表示するように、動画像を見る人（以下、「ユーザ」という）が使用するユーザ端末に配信するシステムである。カメラＣは、例えば競技が開催されている競技場、又はイベントが開催されているイベント会場に設置されており、所定の領域は、それぞれのカメラＣが撮影可能な領域である。本明細書において、複数のカメラＣ１〜Ｃ５のそれぞれを区別する必要がない場合、カメラＣと称することがある。
【００１２】
図１は、複数のカメラＣ１〜Ｃ５が競技場に設置されている状態を示す模式図である。図２は、複数のカメラＣ１〜Ｃ５が作成した複数の動画像データに基づく動画像がユーザ端末に表示された状態を示す図である。
【００１３】
配信システムＳは、複数の動画像データをユーザ端末に配信する。ユーザ端末は、複数のカメラＣが所定の領域を異なる方向から撮影することにより生成した複数の動画像データを一つの画面に同時に表示する。図２は、ユーザ端末のディスプレイにおける複数の領域Ｒ１〜Ｒ５のそれぞれに、カメラＣ１〜Ｃ５で撮影された動画像が表示されている状態を示している。図２においては、カメラＣ１で撮影された画像が、最も大きい領域Ｒ１に表示されており、他の画像は、領域Ｒ１よりも小さな領域Ｒ２〜Ｒ５に表示されている。また、複数の領域Ｒ１〜Ｒ５には、動画像を評価するための評価ボタンｉが表示されている。評価ボタンｉを押下することによりユーザ端末のユーザは動画像を評価することができる。
【００１４】
配信システムＳは、複数の動画像データを一つの画面に表示しているユーザ端末において、当該動画像データに対して過去に与えられた評価に基づいて、ユーザの属性を生成することができるという特徴を有する。例えば、カメラＣ３で撮像された動画像に相対的に良い評価が与えられており、当該動画像の内容がＸチームを示しているとともに当該動画像とは異なる動画像の内容がＹチームを示している場合、ユーザの属性として、ＹチームよりもＸチームに興味があることを示す属性情報を生成する。このようにすることで、配信システムＳは、ユーザの複数の動画の視聴状況に基づいてユーザの属性を分析することができる。
【００１５】
［配信システムＳの構成］
以下、配信システムＳの構成を説明する。図３は、配信システムＳのシステム構成図である。配信システムＳは、複数のカメラＣ（Ｃ１〜Ｃ５）と、情報処理装置としてのサーバ１と、ユーザ端末２とを有する。複数のカメラＣ、サーバ１及びユーザ端末２は、ネットワークＮを介して各種のデータを送受信する。ネットワークＮは、インターネット又は携帯電話網等を含む。
【００１６】
［サーバ１の構成］
図４は、サーバ１の構成を示す図である。サーバ１は、通信部１１と、記憶部１２と、制御部１３とを有する。制御部１３は、配信部１３１、取得部１３２、特定部１３３、生成部１３４、特典付与部１３５、位置情報取得部１３６及び分析部１３７を有する。
【００１７】
通信部１１は、ネットワークＮを介して複数のカメラＣ及びユーザ端末２との間でデータを送受信するための通信インターフェースを有する。通信部１１は、複数のカメラＣから受信した複数の動画像データを取得部１３２に入力する。
【００１８】
また、通信部１１は、配信部１３１から入力された配信用の動画像データを、ネットワークＮを介してユーザ端末２へと送信する。また、通信部１１は、ユーザに付与する特典を示す特典付与情報を、ネットワークＮを介してユーザ端末２へと送信する。
【００１９】
記憶部１２は、ＲＯＭ（Read Only Memory）、ＲＡＭ（Random Access Memory）及びハードディスク等の記憶媒体を有する。記憶部１２は、制御部１３が実行するプログラムを記憶している。
【００２０】
また、記憶部１２は、通信部１１が受信した動画像データを記憶する。具体的には、記憶部１２は、一つの画面に表示させる複数の動画像データと、当該動画像データの動画像ＩＤと、当該一つの画面に対応するコンテンツを識別するコンテンツＩＤとを関連付けて、コンテンツ情報として記憶させる。
【００２１】
制御部１３は、例えばＣＰＵ（Central Processing Unit）を有しており、記憶部１２に記憶されたプログラムを実行することにより、配信部１３１、取得部１３２、特定部１３３、生成部１３４、特典付与部１３５、位置情報取得部１３６及び分析部１３７として機能する。制御部１３の各部の動作の詳細については後述する。
【００２２】
［ユーザ端末２の構成］
図５は、ユーザ端末２の構成を示す図である。ユーザ端末２は、操作部２１と、表示部２２と、通信部２３と、記憶部２４と、制御部２５とを有する。制御部２５は、動画像データ取得部２５１と、特典情報取得部２５２と、表示制御部２５３と、評価情報送信部２５４とを有する。
【００２３】
操作部２１は、ユーザの操作を受け付ける操作デバイスであり、例えば表示部２２の表面に設けられたタッチパネルである。操作部２１は、ユーザがタッチした位置を示す信号を制御部２５に通知する。表示部２２は、各種の情報を表示するディスプレイである。
【００２４】
通信部２３は、ネットワークＮを介してサーバ１との間でデータを送受信するための通信インターフェースを有する。通信部２３は、サーバ１から受信した動画像データを動画像データ取得部２５１に入力する。また、通信部２３は、サーバ１から受信した特典情報を特典情報取得部２５２に入力する。
【００２５】
記憶部２４は、ＲＯＭ（Read Only Memory）、ＲＡＭ（Random Access Memory）及びハードディスク等の記憶媒体を有する。記憶部２４は、制御部２５が実行するプログラムを記憶している。また、記憶部２４は、サーバ１が配信する動画像を視聴するための動画像視聴アプリケーションを記憶する。
【００２６】
制御部２５は、例えばＣＰＵ（Central Processing Unit）を有しており、記憶部２４に記憶されたプログラムを実行することにより、動画像データ取得部２５１、特典情報取得部２５２、表示制御部２５３、及び評価情報送信部２５４として機能する。
【００２７】
動画像データ取得部２５１は、通信部２３を介して一つの画面に表示させる複数の動画像データをサーバ１から取得する。動画像データ取得部２５１は、サーバ１が配信する動画像データを視聴するための動画像視聴アプリケーションが実行されている状態で、操作部２１を介してユーザが視聴する競技やイベント等のコンテンツの選択を受け付ける。動画像データ取得部２５１は、選択されたコンテンツを識別するためのコンテンツＩＤを含み、当該コンテンツの取得要求をサーバ１に送信する。動画像データ取得部２５１は、サーバ１から送信された、選択されたコンテンツに対応する複数の動画像データを取得する。
特典情報取得部２５２は、通信部２３を介して、ユーザ端末２のユーザに付与された特典を示す特典情報をサーバ１から取得する。
【００２８】
表示制御部２５３は、動画像データ取得部２５１が取得した複数の動画像データを表示部２２に表示させる。表示制御部２５３は、複数の動画像データのそれぞれが示す動画像を図２に示すように一つの画面に集約し、当該画面を表示部２２に表示させる。一つの画面に含まれる複数の動画像データのそれぞれの領域には、ユーザが動画像に対して良い評価を行うための評価ボタンが表示される。また、表示制御部２５３は、操作部２１を介したユーザの操作に応じて、最も大きく表示させる動画像データを切り替える。
【００２９】
表示制御部２５３は、特典情報取得部２５２が特典情報を取得すると、当該特典情報を表示部２２に表示させることにより、特典情報が示す特典が付与されたことをユーザ端末２のユーザに通知する。なお、本実施形態では、表示制御部２５３が特典情報を表示部２２に表示させることにより特典を付与されたことをユーザに通知したが、これに限らない。例えば、ユーザ端末２に設けられたスピーカ（不図示）に特典情報が付与されたことを示す音声を通知することにより、特典を付与されたことをユーザに通知してもよい。
【００３０】
評価情報送信部２５４は、ユーザが評価ボタンを押下したことに応じて、押下された評価ボタンに対応する動画像の評価が行われたことを示す評価情報をサーバ１に送信する。評価情報には、評価を行ったユーザを識別するためのユーザＩＤと、評価が行われた動画像データであって、複数のカメラＣが所定の領域を撮影することにより生成された動画像データを識別するための動画像識別情報としての動画像ＩＤとが含まれている。
【００３１】
［制御部１３の各部の動作］
続いて、制御部１３の各部の動作について説明する。
配信部１３１は、ユーザ端末２からコンテンツの取得要求を取得すると、記憶部１２に記憶されているコンテンツ情報を参照し、コンテンツの取得要求に含まれているコンテンツＩＤに関連付けられている複数の動画像データを特定する。配信部１３１は、特定した複数の動画像データを一つの画面に表示するように、ユーザ端末２にストリーミング配信する。配信部１３１は、ユーザ端末２に配信している複数の動画像データの表示開始時刻からの経過時間を計時する。配信部１３１は、経過時間として、動画像データの再生時間（再生位置）を特定してもよい。
【００３２】
取得部１３２は、第１及び第２の動画像データを含む複数の動画像データが同時に表示されるユーザ端末２のユーザを識別するためのユーザＩＤと、当該ユーザが複数の動画像データの少なくともいずれかを評価したことを示す評価情報とを取得する。取得部１３２は、動画像データを識別するための動画像ＩＤに関連付けられた、ユーザにより所定の評価が与えられたことを示す評価情報をユーザ端末２から取得する。
【００３３】
具体的には、取得部１３２は、一つの画面に複数の動画像データを表示している一以上のユーザ端末２のそれぞれから評価情報を受信することにより、評価情報に含まれる動画像ＩＤ及びユーザＩＤを取得する。また、取得部１３２は、ユーザ端末２から評価情報を受信した時刻を評価付与時刻として取得する。評価付与時刻は、例えば、動画像データがユーザ端末２に配信された時刻からの経過時間を示すものとする。評価付与時刻は、配信された時刻からの経過時間に限らず、動画像データの再生時間（再生位置）であってもよい。
【００３４】
取得部１３２は、取得したユーザＩＤと、動画像ＩＤと、当該動画像ＩＤに対応するコンテンツＩＤと、評価付与時刻とを関連付けて評価履歴情報として記憶部１２に記憶させる。図６は、評価履歴情報の一例を示す図である。図６に示すように、ユーザＩＤと、コンテンツＩＤと、動画像ＩＤと、評価付与時刻とが関連付けられていることが確認できる。
【００３５】
なお、取得部１３２は、一つの画面に複数の動画像データを表示しているユーザ端末２において、動画像データが表示されているタイミングで評価情報を取得することとしたが、これに限らない。取得部１３２は、動画像データの表示が完了してから、複数の動画像データのいずれかを評価したことを示す評価情報を取得してもよい。
【００３６】
また、取得部１３２は、ユーザ端末２において評価ボタンが押下されたことに応じてユーザ端末２から送信された情報を評価情報として取得したが、評価情報はこれに限らない。取得部１３２は、第１及び第２の動画像データの少なくともいずれかに対応する動画像ＩＤと関連付けられ、ユーザが定めた当該動画像データのユーザ端末２における表示領域の大きさを示す情報を、評価情報として取得してもよい。
【００３７】
例えば、取得部１３２は、複数の動画像データを表示する一つの画面における、複数の表示領域それぞれの大きさを示す表示領域情報と、複数の表示領域のそれぞれに表示されている動画像データの動画像ＩＤと、ユーザＩＤとを関連付けた情報を評価情報としてユーザ端末２から取得してもよい。また、取得部１３２は、ユーザ端末２において最も大きい表示領域に表示されている動画像データの動画像ＩＤと、ユーザＩＤとを関連付けた情報を評価情報として取得してもよい。
【００３８】
相対的に大きい表示領域に表示されている動画像データは、他の動画像データに比べてユーザに評価されている可能性が高い。したがって、サーバ１は、表示領域情報と動画像ＩＤとユーザＩＤとを関連付けた情報を評価情報として取得することにより、ユーザが評価している可能性が高い動画像データを特定することができる。
【００３９】
また、取得部１３２は、所定の動画像データがユーザ端末２において相対的に大きい表示領域に所定時間以上表示された場合に、当該動画像データの動画像ＩＤと関連付けられ、当該動画像データが相対的に大きい表示領域に所定時間以上表示されたことを示す情報を評価情報として取得してもよい。この場合、ユーザ端末２の評価情報送信部２５４は、所定の動画像データがユーザ端末２において相対的に大きい表示領域に所定時間以上表示された場合に、当該動画像データの動画像ＩＤと、ユーザＩＤとを含み、相対的に大きい表示領域に表示されている動画像データを通知する通知情報をサーバ１に送信する。サーバ１の取得部１３２は、当該通知情報を評価情報として取得する。このようにすることで、サーバ１は、長時間にわたって相対的に大きい表示領域に表示されている動画像データをユーザに評価されている動画像データとして特定することができる。
【００４０】
特定部１３３は、ユーザが評価を与えた時刻にユーザ端末２に同時に表示されていた第１及び第２の動画像データの内容を特定する。具体的にはまず、特定部１３３は、評価履歴情報を参照し、評価付与時刻を特定する。続いて、特定部１３３は、特定した評価付与時刻においてユーザ端末２に同時に表示されていた第１の動画像データが示す画像である第１画像と、第２の動画像データが示す画像である第２画像との画像認識処理を行うことにより、第１の動画像データの内容と、第２の動画像データの内容とを特定する。
【００４１】
動画像データが競技を撮影したものである場合、動画像データの内容は、例えば、競技チーム、競技チームのユニフォーム、選手である。また、動画像データがコンサート等のイベントを撮影したものである場合、動画像データの内容は、例えば、イベントの出演者である。特定部１３３は、動画像データが示す画像を解析することにより、選手や出演者の表情の特徴量を特定してもよい。また、複数の動画像データに対してメタ情報が付されている場合、特定部１３３は、動画像データに付されているメタ情報に基づいて動画像データの内容を特定してもよい。
【００４２】
生成部１３４は、取得部１３２が取得した評価情報と、特定部１３３が特定した第１及び第２の動画像データの内容とに基づき、ユーザＩＤに対応するユーザの属性を示す属性情報を生成する。具体的には、生成部１３４は、取得部１３２が取得した評価情報に関連付けられている動画像ＩＤに基づいて特定される第１の動画像データと第２の動画像データの内容に基づき属性情報を生成する。
【００４３】
生成部１３４は、複数の動画像データのうち、第１の動画像データに対するユーザによる評価が、第２の動画像データに対するユーザによる評価よりも高いことを評価情報が示す場合に、特定部１３３が特定した第１の動画像データの内容が、特定部１３３が特定した第２の動画像データの内容に比べてユーザの関心が高いものとして属性情報を生成する。
【００４４】
具体的には、生成部１３４は、評価情報に対応して記憶部１２に記憶されている評価履歴情報を参照し、評価付与時刻に関連付けられている動画像ＩＤが示す動画像データを、ユーザから所定の評価が与えられた第１の動画像データとして特定する。また、生成部１３４は、第１の動画像データと同じ経過時間にユーザ端末２に表示されていた他の動画像データに対して特定部１３３が特定した動画像データの内容を、第２の動画像データの内容とする。
【００４５】
ここで、生成部１３４は、特定した第１の動画像データと同じ経過時間にユーザ端末２に表示されていた他の動画像データのうち、第１の動画像データの内容と対応関係にある内容を有する他の動画像データを第２の動画像データとしてもよい。例えば、コンテンツが競技に関する動画像データである場合において、特定した第１の動画像データの内容がＸチームのａ選手を示しているものとする。この場合、生成部１３４は、Ａのチームの他の選手であるｂ選手を示している動画像データを第２の動画像データとしたり、Ｘチームの対戦相手のＹチームのｚ選手を示している動画像データを第２の動画像データとしたりしてもよい。
【００４６】
例えば、特定した第１の動画像データの内容がＡチーム、第２の動画像データの内容がＢチームを示している場合、生成部１３４は、ユーザが、ＢチームよりもＡチームに関心が高いことを示す属性情報を生成する。
【００４７】
生成部１３４は、評価履歴情報を参照し、所定数以上の評価情報のそれぞれにおいて、第１の動画像データに対するユーザによる評価が、第２の動画像データに対するユーザによる評価よりも高いことを評価情報が示す場合に、特定部１３３が特定した第１の動画像データの内容が、特定部１３３が特定した第２の動画像データの内容に比べてユーザの関心が高いものとして属性情報を生成してもよい。例えば、生成部１３４は、所定数以上の評価情報それぞれに対して特定した第１の動画像データの内容がＡチーム、第２の動画像データの内容がＢチームを示している場合、ユーザが、ＢチームよりもＡチームに関心が高いことを示す属性情報を生成してもよい。
【００４８】
なお、生成部１３４は、ユーザＩＤと、ユーザの個人情報とを関連付けたユーザ情報を参照し、ユーザＩＤに関連付けられている個人情報にさらに基づいて属性情報を生成してもよい。個人情報は、例えば、携帯事業者が管理するユーザ端末２の契約情報であり、ユーザの氏名、年齢、性別、住所、契約年数等が含まれる。また、生成部１３４は、ユーザＩＤと、ユーザがユーザ端末２を用いた電子決済サービスにおける商品又はサービスの購入履歴とを関連付けた購入履歴情報を参照し、属性情報を生成してもよい。
【００４９】
生成部１３４は、属性情報を生成すると、ユーザＩＤと、生成した属性情報とを関連付けてユーザ属性情報として記憶部１２に記憶させる。図７は、生成部１３４が生成したユーザ属性情報の一例を示す図である。図７に示すように、ユーザＩＤと、属性とが関連付けられていることが確認できる。また、図７に示すように、生成部１３４が生成した属性が、ユーザがチームの比較結果、選手の比較結果を示す属性であることが確認できる。なお、生成部１３４は、携帯事業者が管理するユーザ端末２の契約情報等のユーザ情報に生成した属性情報を関連付けて記憶させるようにしてもよい。
【００５０】
特典付与部１３５は、生成部１３４が生成した属性情報に基づいてユーザに特典を付与する。特典付与部１３５は、記憶部１２に記憶されているユーザ属性情報を参照し、ユーザＩＤに関連付けられている属性に対応する競技やイベント等の観戦チケット等の割引クーポン等を特典として決定する。特典付与部１３５は、当該ユーザＩＤに対応するユーザ端末２に、決定した特典を示す特典情報を送信する。
【００５１】
位置情報取得部１３６は、ユーザ端末２の位置を示す端末位置情報を取得する。この場合、例えばユーザ端末２の動画像視聴アプリケーションは、アプリケーションの実行中にユーザ端末２の位置を示す端末位置情報を取得し、ユーザＩＤと関連付けてサーバ１に送信する。位置情報取得部１３６は、ユーザ端末２から送信されたユーザＩＤと、端末位置情報とを取得する。位置情報取得部１３６は、取得したユーザＩＤと、端末位置情報とを関連付けて記憶部１２に記憶させる。
【００５２】
分析部１３７は、生成部１３４が生成した属性情報と、位置情報取得部１３６が取得して記憶部１２に記憶した端末位置情報とに基づいて、当該属性情報が示す属性と、当該属性を有するユーザの位置との関係を分析する。具体的には、分析部１３７は、記憶部１２に記憶されているユーザ属性情報を参照し、同じ属性を有する複数のユーザを特定する。分析部１３７は、特定した複数のユーザそれぞれに対応する端末位置情報に基づいて、複数のユーザが所在する傾向が高い地域を特定する。分析部１３７は、属性と、特定した地域とを関連付けた情報を記憶部１２に記憶させる。
【００５３】
［配信システムＳにおける動作シーケンス］
図８は、配信システムＳの動作シーケンス図である。図８に示す例では、ユーザ端末２のユーザの属性を生成し、生成した属性に基づいてユーザ端末２に特典情報を送信するまでの処理の流れを説明する。
【００５４】
まず、サーバ１の配信部１３１は、ユーザ端末２に、複数の動画像データを一つの画面に表示するように配信する（Ｓ１）。
ユーザ端末２の動画像データ取得部２５１は、サーバ１から配信された複数の動画像データを取得する。複数のユーザ端末２の表示制御部２５３は、取得された複数の動画像データを一つの画面に表示させる（Ｓ２）。ユーザ端末２の表示制御部２５３は、複数の動画像データを表示する一つの画面において、複数の動画像データのそれぞれの表示領域にユーザが動画像データの評価を行うための評価ボタンを表示させる。
【００５５】
ユーザ端末２の評価情報送信部２５４は、ユーザが評価ボタンを押下したことに応じて、押下された評価ボタンに対応する動画像の評価が行われたことを示す評価情報をサーバ１に送信する（Ｓ３）。
【００５６】
サーバ１の取得部１３２は、ユーザ端末２から評価情報を受信することにより、評価情報に含まれる動画像ＩＤを取得する。また、取得部１３２は、ユーザ端末２から評価情報を受信した時刻を評価付与時刻として取得する。取得部１３２は、評価情報に含まれるユーザＩＤと、動画像ＩＤと、評価付与時刻とを関連付けて評価履歴情報として記憶部１２に記憶させる（Ｓ４）。
【００５７】
続いて、サーバ１の特定部１３３は、評価履歴情報を参照し、評価付与時刻に対応する動画像データの内容を特定する（Ｓ５）。生成部１３４は、評価情報に基づく評価が与えられた動画像データの内容と、当該動画像データとは異なる動画像データの内容とに基づき、ユーザの属性を示す属性情報を生成する（Ｓ６）。特典付与部１３５は、生成された属性情報に対応する特典情報をユーザ端末２に送信する（Ｓ７）。
【００５８】
［配信システムＳによる効果］
以上説明したように、本実施形態に係るサーバ１は、第１及び第２の動画像データが表示されるユーザ端末２のユーザを識別するためのユーザＩＤと、当該ユーザが第１及び第２の動画像データの少なくともいずれかを評価したことを示す評価情報とを取得し、取得した評価情報と第１及び第２の動画像データの内容とに基づき、ユーザＩＤに対応するユーザの属性を示す属性情報を生成する。このようにすることで、サーバ１は、ユーザの複数の動画の視聴状況に基づいてユーザの属性を分析することができる。
【００５９】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００６０】
１  サーバ
２  ユーザ端末
１１  通信部
１２  記憶部
１３  制御部
２１  操作部
２２  表示部
２３  通信部
２４  記憶部
２５  制御部
１３１  配信部
１３２  取得部
１３３  特定部
１３４  生成部
１３５  特典付与部
１３６  位置情報取得部
１３７  分析部
２５１  動画像データ取得部
２５２  特典情報取得部
２５３  表示制御部
２５４  評価情報送信部
Ｓ  配信システム
【要約】
【課題】ユーザの複数の動画の視聴状況に基づいてユーザの属性を分析できるようにする。
【解決手段】情報処理装置は、第１及び第２の動画像データが同時に表示されるユーザ端末２のユーザを識別するためのユーザ識別情報と、当該ユーザが第１及び第２の動画像データの少なくともいずれかを評価したことを示す評価情報とを取得する取得部１３２と、取得部１３２が取得した評価情報と第１及び第２の動画像データの内容とに基づき、ユーザ識別情報に対応するユーザの属性を示す属性情報を生成する生成部１３４と、を有する。
【選択図】図４【図１】
0006905133.tif 000002
【図２】
0006905133.tif 000003
【図３】
0006905133.tif 000004
【図４】
0006905133.tif 000005
【図５】
0006905133.tif 000006
【図６】
0006905133.tif 000007
【図７】
0006905133.tif 000008
【図８】
0006905133.tif 000009